(57)【要約】【課題】血液の形態学的診断を効率的に行うことを支援する血液診断支援システムを提供する。【解決手段】本発明の血液診断支援システムは、血液検査装置１０、検査結果蓄積装置５０、診断端末６０を含み、血液検査装置１０と検査結果蓄積装置５０は、通信回線７０を介して接続され、診断端末６０と検査結果蓄積装置５０は、通信回線８０を介して接続されている。検査結果蓄積装置５０は、血液検査装置１０で作成された血液検査データが蓄積され、血液検査装置１０及び診断端末６０からアクセス可能である。検査結果蓄積装置５０に蓄積される血液検査データには、血液標本を全体的に観察可能な程度の低倍率で撮影した全体画像データと、全体画像データの撮影倍率より高い倍率で、血液標本における細胞形態を認識可能な程度の倍率で撮影した、動画的再生が可能な多数の部分画像データが含まれる。【選択図】図１
2004170368.tif 000002
【特許請求の範囲】
【請求項１】
血液の形態学診断を支援する血液診断支援システムであって、
血液画像の撮影を含む血液検査データの取得を行う１又は複数の血液検査装置と、
前記撮影によって得られた血液画像データを含む前記血液検査データを蓄積する検査結果蓄積装置と、
前記血液検査データの表示を行う１又は複数の端末装置とを有し、
前記血液検査装置及び前記端末装置は、通信回線を介して前記検査結果蓄積装置と接続可能であり、
前記検査結果蓄積装置に蓄積される前記血液画像データは、検査対象である血液標本を全体的に観察可能な程度の低倍率で撮影した全体画像データと、前記全体画像データの撮影倍率より高い倍率で、前記血液標本における細胞形態を認識可能な程度の倍率で撮影した多数の部分画像データとを含み、
前記部分画像データは、標本を一定のピッチで移動させた位置で撮影したものであり、前記ピッチは、隣接する撮影領域の前記部分画像データを順次再生したときに動画として認識できる程度のピッチであり、
前記端末装置及び前記血液検査装置は、前記検査結果蓄積装置に蓄積された前記血液画像データを、取得して再生する機能を有するものである血液診断支援システム。
【請求項２】
請求項１記載の血液診断支援システムであって、
前記部分画像データは、同一領域について複数のフォーカス位置で撮影した複数の画像データを含むものである血液診断支援システム。
【請求項３】
請求項２記載の血液診断支援システムであって、
前記端末装置及び前記血液検査装置は、同一領域について複数のフォーカス位置で撮影した複数の画像データを合成して再生する機能を有するものである血液診断支援システム。
【請求項４】
請求項１ないし３のいずれか１項記載の血液診断支援システムであって、
前記端末装置及び前記血液検査装置は、前記検査結果蓄積装置に蓄積された前記部分画像データを再生するに際して、前記部分画像データの撮影順で再生する機能を有するものである血液診断支援システム。
【請求項５】
請求項４記載の血液診断支援システムであって、
前記端末装置及び前記血液検査装置は、再生開始位置を指定して再生する機能を有するものである血液診断支援システム。
【請求項６】
請求項１ないし３のいずれか１項記載の血液診断支援システムであって、
前記端末装置及び前記血液検査装置は、前記検査結果蓄積装置に蓄積された前記部分画像データを再生するに際して、前記血液標本の部分領域を指定して再生する機能を有するものである血液診断支援システム。
【請求項７】
請求項１ないし６のいずれか１項記載の血液診断支援システムであって、
前記検査結果蓄積装置に蓄積される前記血液画像データは、さらに、前記多数の部分画像データをタイリングして作成した高倍率合成画像データを含み、
前記端末装置及び前記血液検査装置は、前記検査結果蓄積装置に蓄積された前記高倍率合成画像データを再生するに際して、指定された領域を再生する機能を有するものである血液診断支援システム。
【請求項８】
請求項１ないし７のいずれか１項記載の血液診断支援システムであって、
前記血液検査装置と前記検査結果蓄積装置とを接続する前記通信回線は、前記血液検査装置が設けられる医療機関内に設置される構内ネットワークを含むものである血液診断支援システム。
【請求項９】
請求項１ないし８のいずれか１項記載の血液診断支援システムであって、
前記血液検査装置と前記検査結果蓄積装置とを接続する前記通信回線は、公衆ネットワークを含むものである血液診断支援システム。
【請求項１０】
請求項１ないし９のいずれか１項記載の血液診断支援システムであって、
前記端末装置と前記検査結果蓄積装置とを接続する前記通信回線は、前記血液検査装置が設けられる医療機関内に設置される構内ネットワークを含むものである血液診断支援システム。
【請求項１１】
請求項１ないし１０のいずれか１項記載の血液診断支援システムであって、
前記端末装置と前記検査結果蓄積装置とを接続する前記通信回線は、公衆ネットワークを含むものである血液診断支援システム。
【発明の詳細な説明】
【０００１】
【発明の属する技術分野】
本発明は、血液の形態学診断を支援する血液診断支援システムに関する。
【０００２】
【従来の技術】
血液疾患の診断には、末梢血や骨髄塗抹標本（以下、単に「標本」と記述する場合もある。）の顕微鏡を用いた形態観察が重要であり、形態学的検査は多くの病態情報が得られる点で有用性が高い。検査側から臨床側への形態学的検査の報告は、細胞の計数データ（所定の基準で分類した形態の細胞の計数作業に基づく。分類比率も含む。）とともに、細胞形態の特徴を文字による記述や、顕微鏡写真の添付によって行っているが、細胞形態を全て適確に臨床側に報告することは困難である。そのため、臨床側で精細な観察を必要とする場合は、臨床側から検査側へ出向いたり、標本を取り寄せたりして観察し、形態学的診断を行っている。そして、細胞の分類基準を変更する必要がある場合は、顕微鏡で検査者と同時に標本を観察しながら分類基準を提示し、再度の報告を求めている。以上のように、血液の形態学的診断は、検査部門での作業の性格上及び診断のために必要な情報量が多さにより、多くの時間を必要とする。
【０００３】
また、形態学的検査を行った場合、再度の参照を可能とするため、検査に使用した標本を保存しているが、標本保存スペースの確保や標本の染色性の劣化が問題視されている。また、保存された標本へのアクセスは一般に簡単ではなく、再度の形態観察までに時間を要するという問題もある。さらに、顕微鏡による標本の観察は、バイオハザードや検査者の視力低下等、職場環境の悪化を招くというという問題もある。
【０００４】
このような問題を解決するものとして、特許文献１に記載された画像ファイリングシステムがある。このシステムは、顕微鏡から取り込んだ血液細胞画像を電子化し、その属性情報とともにファイリングするものである。また、このような画像ファイリングシステムを、ネットワークに接続し、血液細胞画像を臨床側でも索引可能とし、診療支援を行うシステムも構築されている（非特許文献１参照）。
【０００５】
上記した従来のシステムは、検査側において、医師又は検査技師が標本を顕微鏡で観察し、その中から特定の視野あるいはランダムな視野の顕微鏡画像を取り込むことにより、血液細胞画像をファイリングするものである。すなわち、画像データとしてファイリングされる血液細胞は、標本に含まれる血液細胞の一部であって、その選択も検査者の判断によるものである。
【０００６】
したがって、血液画像に基づく診断に際しては、必ずしも必要な画像がファイルされているとは限らず、標本を直接観察したり、検査側に再検査を指示する必要が生じる。標本を直接観察するために、臨床側の医師が検査側に出向いたり、標本を取り寄せる必要がある点は、従来のものと同様であり、再検査の指示も同様に負担が大きく、効率的な診断には限界がある。
【０００７】
【特許文献１】
特開平１０−２７５１５０号公報
【非特許文献１】
清水長子、外６名，「血液細胞画像ファイリングシステムの活用法と病院ネットワークの構築−テレヘマトジーの試み１−」，日本検査血液学会雑誌，日本検査血液学会，２００１年２月１０日，第２巻，第１号，ｐ．７０−７５
【０００８】
【発明が解決しようとする課題】
本発明は、上記事情に鑑みてなされたものであり、血液の形態学的診断を効率的に行うことを支援する血液診断支援システムを提供することを目的とするものである。
【０００９】
【課題を解決するための手段】
本発明の血液の形態学診断を支援する血液診断支援システムは、血液画像の撮影を含む血液検査データの取得を行う１又は複数の血液検査装置と、前記撮影によって得られた血液画像データを含む前記血液検査データを蓄積する検査結果蓄積装置と、前記血液検査データの表示を行う１又は複数の端末装置とを有し、前記血液検査装置及び前記端末装置は、通信回線を介して前記検査結果蓄積装置と接続可能であり、前記検査結果蓄積装置に蓄積される前記血液画像データは、検査対象である血液標本を全体的に観察可能な程度の低倍率で撮影した全体画像データと、前記全体画像データの撮影倍率より高い倍率で、前記血液標本における細胞形態を認識可能な程度の倍率で撮影した多数の部分画像データとを含み、前記部分画像データは、標本を一定のピッチで移動させた位置で撮影したものであり、前記ピッチは、隣接する撮影領域の前記部分画像データを順次再生したときに動画として認識できる程度のピッチであり、前記端末装置及び前記血液検査装置は、前記検査結果蓄積装置に蓄積された前記血液画像データを、取得して再生する機能を有するものである。
【００１０】
このようなシステムを利用すると、診断側で血液標本を取り寄せたり、標本保管場所に移動しなくても、かつ顕微鏡の調整等の負荷なしに、標本の全体画像を観察することができ、効率的な診断が可能となる。また、細胞の分類基準を変更する必要があって、検査側に再度の作業を依頼する場合でも、離れた場所にいたままで双方が同一の画像を観察しながら、適確に指示することができる。さらに、記録された全体画像データが記録されているので、その画像に基づいた検査が行えるので、再度、標本の準備及び顕微鏡等の観察設備の準備が不要であり、検査効率が向上する。
【００１１】
本発明の血液診断支援システムは、前記部分画像データとして、同一領域について複数のフォーカス位置で撮影した複数の画像データを含むものを含む。
【００１２】
本発明の血液診断支援システムは、前記端末装置及び前記血液検査装置として、同一領域について複数のフォーカス位置で撮影した複数の画像データを合成して再生する機能を有するものを含む。
【００１３】
本発明の血液診断支援システムは、前記端末装置及び前記血液検査装置として、前記検査結果蓄積装置に蓄積された前記部分画像データを再生するに際して、前記部分画像データの撮影順で再生する機能を有するものを含む。
【００１４】
本発明の血液診断支援システムは、前記端末装置及び前記血液検査装置として、再生開始位置を指定して再生する機能を有するものを含む。
【００１５】
本発明の血液診断支援システムは、前記端末装置及び前記血液検査装置として、前記検査結果蓄積装置に蓄積された前記部分画像データを再生するに際して、前記血液標本の部分領域を指定して再生する機能を有するものを含む。
【００１６】
本発明の血液診断支援システムは、前記検査結果蓄積装置に蓄積される前記血液画像データとして、さらに、前記多数の部分画像データをタイリングして作成した高倍率合成画像データを含み、前記端末装置及び前記血液検査装置は、前記検査結果蓄積装置に蓄積された前記高倍率合成画像データを再生するに際して、指定された領域を再生する機能を有するものを含む。
【００１７】
本発明の血液診断支援システムは、前記血液検査装置と前記検査結果蓄積装置とを接続する前記通信回線として、前記血液検査装置が設けられる医療機関内に設置される構内ネットワークを含むものを含む。
【００１８】
本発明の血液診断支援システムは、前記血液検査装置と前記検査結果蓄積装置とを接続する前記通信回線として、公衆ネットワークを含むものを含む。
【００１９】
本発明の血液診断支援システムは、前記端末装置と前記検査結果蓄積装置とを接続する前記通信回線として、前記血液検査装置が設けられる医療機関内に設置される構内ネットワークを含むものを含む。
【００２０】
本発明の血液診断支援システムは、前記端末装置と前記検査結果蓄積装置とを接続する前記通信回線として、公衆ネットワークを含むものを含む。
【００２１】
【発明の実施の形態】
以下、本発明の実施の形態について、図面を用いて説明する。図１は、本発明の実施の形態の血液診断支援システムの概略構成を示す図である。図１のシステムは、血液検査装置１０、検査結果蓄積装置５０、診断端末６０を含み、血液検査装置１０と検査結果蓄積装置５０は、通信回線７０を介して接続され、診断端末６０と検査結果蓄積装置５０は、通信回線８０を介して接続されている。また、図１では１つの血液検査装置１０及び１つの診断端末６０を示したが、それぞれ複数であってもよい。診断端末６０は、一般的には複数接続される。
【００２２】
血液検査装置１０は、検査端末２０、ＣＣＤカメラ付き顕微鏡３０、ステージ制御装置４０を含んで構成され、血液画像データの撮影を含む血液検査データの取得を行うものである。検査端末２０は、ＣＣＤカメラ付き顕微鏡３０での血液画像の撮影、検査対象となる血液標本が載置されるステージ（図示せず）の移動を制御するステージ制御装置４０の制御を含む血液画像の撮影作業全体の制御を行うとともに、血液画像を観察して得た細胞の分類別計数作業結果の入力等、血液検査結果の作成作業も行う。これらの各要素は、特許文献１、非特許文献１にも示されるように、いずれも周知のものであるので、詳細な記述は省略する。
【００２３】
検査端末２０は、表示部２１、記憶部２２、制御部２３、入出力部２４、操作部２５、通信部２６を含んで構成されるが、具体的には、通信機能を有するパーソナルコンピュータで実現される。血液検査装置１０で取得される血液画像データは、検査対象である血液標本を全体的に観察可能な程度の低倍率で撮影した全体画像データと、全体画像データの撮影倍率より高い倍率で、血液標本における細胞形態を認識可能な程度の倍率で撮影した多数の部分画像データが含まれる。撮影動作を含む血液検査装置１０による血液検査動作の詳細については、後述する。
【００２４】
検査結果蓄積装置５０は、血液検査装置１０で作成された血液検査データを蓄積するものでサーバコンピュータで実現する。ここで蓄積される血液検査データには、血液画像を観察して得た細胞の分類別計数作業結果等、特許文献１に記載されるような従来の検査システムにおいて作成されるデータとともに、上記した全体画像データ及び部分画像データが含まれる。
【００２５】
通信回線７０は、例えば、血液検査装置１０が設けられる病院等の医療機関内に設置される構内ネットワークである。この場合、血液検査装置１０と検査結果蓄積装置５０は、同一施設に設けられるが、通信回線として公衆ネットワークを利用すると、血液検査装置１０と検査結果蓄積装置５０を別々の施設に設けることができる。公衆ネットワークとしては、インターネット、又は専用網、又は複数のネットワークの相互接続によって構成される複合網が利用できる。
【００２６】
診断端末６０は、血液検査結果に基づいて血液の形態学的診断を行う医師等が使用するもので、医療機関の診療科、病棟等に設置される。診断端末６０は、表示部６１、記憶部６２、制御部６３、入出力部６４、操作部６５、通信部６６を含んで構成されるが、具体的には、通信機能を有するパーソナルコンピュータで実現される。診断端末６０は、検査結果蓄積装置５０に蓄積された検査結果データを単に参照するだけでなく、検査結果データに含まれる全体画像データ及び部分画像データの再生が行う。部分画像データの再生に際しては、隣接する領域の画像データを連続的に再生して、動画的に再生する。診断端末６０による血液画像データの再生動作の詳細については、後述する。
【００２７】
通信回線８０は、例えば、検査結果蓄積装置５０が設けられる病院等の医療機関内に設置される構内ネットワークである。この場合、検査結果蓄積装置５０と検査結果蓄積装置５０は、同一施設に設けられるが、通信回線として公衆ネットワークを利用すると、検査結果蓄積装置５０と診断端末６０を別々の施設に設けることができる。すなわち、検査結果蓄積装置５０が設けられる施設と別の施設で血液診断が可能となる。公衆ネットワークとしては、インターネット、又は専用網、又は複数のネットワークの相互接続によって構成される複合網が利用できる。
【００２８】
なお、図１では、通信回線７０と通信回線８０を別のものとして記載したが、同じものを利用することもできる。例えば、血液検査装置１０、検査結果蓄積装置５０、診断端末６０が同じ施設内に設置される場合、同じ構内ネットワークで接続してもよい。
【００２９】
次に、血液検査装置１０を利用した検査業務について、図２に示す概略業務フローを用いて説明する。血液検査装置１０が設置された検査側で、血液検査の依頼を受領し（ステップ２０１）、検査すべき血液標本を受領する（ステップ２０２）と、検査者は、検査番号又は標本番号を入力する（ステップ２０３）。ここで入力される検査番号又は標本番号は、検査結果データと、患者情報等を関連付けるためのものである。このとき、医療機関等における患者管理システム等を接続して必要な患者属性を自動的に入力してもよい。これらの情報は、操作部２５の操作により、又は入出力部２４に接続された入出力機器（図示せず）から、あるいは通信部２６を介して他のコンピュータから入力される。
【００３０】
次いで、ステップ２０４で検査すべき血液標本をＣＣＤカメラ付き顕微鏡３０のステージ（図示せず）にセットし、顕微鏡３０を観察及び撮影可能な状態に調整する。血液画像の撮影に際しては、まず、低倍率での撮影を行い（ステップ２０５）、全体画像データを取得する。ここで設定される撮影倍率は、検査対象である血液標本を全体的に観察できる程度の倍率である。全体的に観察するといっても、必ずしも１画面で標本全体を観察できなくてもよい。その場合は、血液標本を自動的に又は手動で移動させて観察対象領域を変更し、複数回の撮影を行う。移動ピッチは、撮影領域が部分的にオーバーラップされるように選択するのが好ましい。
【００３１】
この場合の顕微鏡３０及びステージ制御装置４０の制御は、検査端末２０の操作部２５からの操作信号によって手動で又は自動的に行うことができる。ＣＣＤカメラで撮影された画像データは、検査端末２０の記憶部２２に記憶される。
【００３２】
低倍率での撮影が終了すると、ステップ２０６において、顕微鏡を高倍率に設定し、高倍率での撮影を行う。ここでの撮影倍率は、全体画像データの撮影倍率より高い倍率で、血液標本における細胞形態を認識可能な程度の倍率である。高倍率での撮影に際しては、ステージを制御することにより血液標本を一定のピッチで移動させて行う。移動ピッチは、撮影画像を撮影順に再生したときに動画として認識できる程度のピッチとする。すなわち、連続する２枚の撮影画像の撮影領域の大部分がオーバーラップするようなピッチとする。再生速度にも依存するが、少なくとも撮影領域の３／４程度はオーバラップさせるのが好ましい。
【００３３】
高倍率撮影は、例えば図３に示すような順序で行う。図３において、番号３００で示される矩形領域が血液標本の観察、撮影すべき領域であり、番号３０１、３０２、〜、３０ｍ、３０ｎで示される矩形領域（それぞれの矩形を区別するため、図３においては、線幅を変えて示してある。）が、それぞれ高倍率撮影される領域である。この例では、領域３００の図面上左上端の領域３０１から撮影を行い、矢印３１０に示すようなジグザグパターンで、順次領域３００全体をカバーするように撮影領域を移動させる。
【００３４】
撮影領域を移動させるための顕微鏡３０のステージ（図示せず）の移動パターンは、予め検査端末２０に設定しておき、１領域における撮影が終了後、自動的にステージ制御装置４０により移動させる。高倍率撮影によって得られたそれぞれの部分画像データは、それぞれの領域を示す識別情報に対応させて検査端末２０の記憶部２２に記憶される。
【００３５】
各撮影領域での撮影枚数は、それぞれ１枚としてもよいが、フォーカス位置を変更させて複数枚撮影してもよい。フォーカス位置を変化させることにより、血液標本の異なる面での画像データを得ることができる。複数枚撮影した場合は、それぞれの画像データにさらにフォーカス位置を示す識別情報を付加して記憶部２２に記憶する。複数枚の画像の利用方法については後述する。
【００３６】
低倍率及び高倍率による撮影、及び画像データの記憶後、ステップ２０７で、記憶部２２に記憶させた画像データを用いて、血液標本の目視検査を行う。この検査は、従来顕微鏡画像を用いて行っていたものと同様の検査であり、血液細胞の形態による分類及び計数作業を含む。目視検査においては、全体画像データを再生させて全体画像を把握し、次いで、部分画像データを連続して動画的に再生させて、細胞の分類及び計数作業を行う。再生順序は、撮影順序で全体を再生させるのが好ましい。
【００３７】
部分画像データを撮影順序で連続再生させるに際しては、途中からの再生（例えば、表示された全体画像で指定した点からの再生）も可能とするのが好ましい。さらに、図４に示すように、全体画像を表示させ、マウス等で指示した領域から再生できるようにしてもよい。図４において、番号４００で示される矩形領域が全体画像データによる表示領域であり、番号４０１、４０２で示される矩形領域が、それぞれ高倍率撮影される領域である。この例では、マウスによって領域４２０が再生すべき領域と指定された場合、領域４０１の部分画像データの再生から開始され、順次矢印４１０に示すようなジグザグパターンで、再生されることを示している。
【００３８】
このような途中からの再生又は部分的な再生のためには、全体画像データの再生画像の各座標と、部分画像データの識別情報を対応させておく。この対応は、すべての座標について記憶しておく必要はなく、代表点のみ情報を用いて演算することによって求めることもできる。
【００３９】
各撮影領域で複数の画像を撮影した場合は、特定（例えば中央）のフォーカス位置での画像データを再生する。部分的に詳細に観察したい場合は、連続再生一時停止させ、異なるフォーカス位置での部分画像データを再生させる。複数枚の画像の表示に際しては、切換えて表示させても、同一画面の並列表示させてもよい。また、複数の画像を合成させた画像を表示させてもよい。
【００４０】
ステップ２０７の目視検査が終了すると、目視検査によって得られた情報（カウント値等）を含む検査結果情報を作成する。検査結果情報は、先に記憶した全体画像データ及び部分画像データが含まれることを除いて、従来のものと同様である。そして、最後に、作成された検査結果情報を通信部２６、通信回線７０を介して検査結果蓄積装置５０の送信し、蓄積する（ステップ２０９）。
【００４１】
以上説明した検査業務フローにおいては、ＣＣＤカメラによる撮影を先に行い、記憶された画像データを再生させて血液標本の目視検査を行うようにしたが、表示部２１に表示される撮影時のモニタ画像を利用して目視検査を撮影と並行して行ってもよい。その場合、撮影され、記憶部２２に記憶された全体画像データ及び部分画像データを検査結果情報として検査結果蓄積装置５０に送信する前に、試験的に再生し、画像品質を確認しておくのが好ましい。画像データの品質に問題がある場合は、当然再撮影を行う。
【００４２】
次いで、診断端末６０を利用した診断について説明する。血液検査結果情報に基づいて血液の形態学診断を行う場合、診断端末を通信回線８０に接続し、検査結果蓄積装置にアクセスして、被診断対象の血液検査結果情報を記憶部６２にダウンロードする。そして、ダウンロードした検査結果情報の内、分類計数情報等の検査者が作成したデータを参照し、検査者が選択した特徴画像データを再生し、必要に応じて、全体画像データの再生を行って血液標本の全体的な特徴の把握し、さらに、部分画像データを再生して詳細な画像を観察し、診断を行う。
【００４３】
部分画像データの再生に際しては、検査端末２０における再生と同様の動画的再生を行う。再生順序及び再生順序についても、同様に、撮影時と同様の順序での再生、途中からの再生、領域を指定した再生を適宜選択して行う。また、同一領域の画像データが複数ある場合の再生も、検査端末２０における再生と同様である。すなわち、動画的再生は、特定（例えば中央）のフォーカス位置での画像データを再生し、部分的に詳細に観察する場合は、異なるフォーカス位置での部分画像データを、切換えて表示させたり、同一画面の並列表示させたり、あるいは、複数の画像を合成させて表示させたりすることができる。
【００４４】
したがって、血液診断を行う医師等は、移動することなく顕微鏡で観察するのと同様の画像を観察できるので、診断効率が向上する。なお、診断端末６０を利用した診断においては、必ずしもすべての血液画像データを診断端末６０にダウンロードする必要はない。例えば、部分画像データを動画的に再生する場合、部分画像データを診断端末にストリーミング配信して再生するようにしてもよい。ストリーミング配信による再生を行うと、診断端末のメモリ容量やダウンロード時間を気にせずに血液画像の観察ができる。この場合、部分画像データを詳細に観察する場合、再生を中断し、必要な部分画像データをダウンロードする。
【００４５】
このような再生画像の観察により、細胞の分類基準の変更等により、再検査が必要となった場合は、血液検査装置１０設置場所の検査者に連絡し、再検査の指示を行う。その場合、検査者は、検査結果蓄積装置５０にアクセスして、同一の被診断対象の血液検査結果情報を記憶部２２にダウンロードする。そして、医師等からの指示に応じ、ダウンロードした血液検査結果情報に含まれる部分画像データを再生させて再検査を行う。この場合、同一の画像を双方で目視できるので、再検査の指示を適確に行うことができる。また、再検査は、検査結果蓄積装置５０に蓄積した画像データを用いて行うので、標本を再び用意して顕微鏡で観察する必要がなくなり、職場環境の悪化を避けることができる。
【００４６】
以上の説明では、高倍率の撮影画像データを、多数の部分画像データとして検査結果蓄積装置５０に蓄積したが、多数の部分画像データを用いてタイリング処理を行って作成した、標本全体の高倍率画像データを合わせて蓄積してもよい。多数の部分画像データを用いたタイリング処理は、血液検査装置１０の検査端末２０で行ってもよいし、検査結果蓄積装置５０で行ってもよい。タイリング処理は、検査端末２０又は検査結果蓄積装置５０に画像タイリングプログラムをインストールしておくことによって実行する。
【００４７】
診断端末６０及び血液検査装置１０の検査端末２０で標本全体の高倍率画像データを再生する場合、全体の表示は不可能なので、操作部６５及び操作部２５のマウス等で指定された領域を再生する。また、画面のスクロール機能により、再生領域を変更させてもよい。
【００４８】
また、低倍率での全体画像データを、複数枚の画像データとして取得する場合、部分画像データと同様、複数の低倍率画像データにタイリング処理を施して生成した１枚の低倍率全体画像データを合わせて検査結果蓄積装置５０に蓄積してもよい。低倍率全体画像データを診断端末６０及び血液検査装置１０の検査端末２０で再生する場合、高倍率画像データの再生と同様、マウス等で指定された領域を再生したり、画面のスクロール機能により、再生領域を変更させてもよい。
【００４９】
【発明の効果】
以上の説明から明らかなように、本発明によれば、血液の形態学的診断を効率的に行うことを支援する血液診断支援システムを提供することができる。
【図面の簡単な説明】
【図１】本発明の実施の形態の血液診断支援システムの概略構成を示す図
【図２】血液検査装置を用いた検査業務の概略フローを示す図
【図３】高倍率撮影の順序を説明する図
【図４】部分再生の順序を説明する図
【符号の説明】
１０・・・血液検査装置
２０・・・検査端末
２１、６１・・・表示部
２２、６２・・・記憶部
２３、６３・・・制御部
２４、６４・・・入出力部
２５、６５・・・操作部
２６、６６・・・通信部
３０・・・ＣＣＤカメラ付き顕微鏡
４０・・・ステージ制御装置
５０・・・検査結果蓄積装置
６０・・・診断端末
７０、８０・・・通信回線
【図１】
2004170368.tif 000003
【図２】
2004170368.tif 000004
【図３】
2004170368.tif 000005
【図４】
2004170368.tif 000006